(57)【要約】      （修正有）【課題】物品の対象箇所に貼着して用いられ、当該箇所が汚損されるのを防止する汚損防止シートを提供する。【解決手段】不織布シート１と、不織布シート１の裏面に接合された粘着剤層２と、を備えており、不織布シート１が、セルロース繊維とポリエステル繊維とを主原料として有し、３５〜５５μｍの厚さを有し、１０〜１３ｇ／ｍ２の坪量を有しており、粘着剤層２が、アクリル系粘着剤からなり、１８〜２２μｍの厚さを有している汚損防止シート１０である。【選択図】図１
2013044065.tif 000002
【特許請求の範囲】
【請求項１】
物品の対象箇所に貼着して用いられ、当該箇所が汚損されるのを防止する、汚損防止シートにおいて、
不織布シートと、前記不織布シートの裏面に接合された粘着剤層と、を備えており、
前記不織布シートが、セルロース繊維とポリエステル繊維とを主原料として有し、３５〜５５μｍの厚さを有し、１０〜１３ｇ／ｍ２の坪量を有しており、
前記粘着剤層が、アクリル系粘着剤からなり、１８〜２２μｍの厚さを有している、
ことを特徴とする汚損防止シート。
【請求項２】
前記粘着剤層の裏面に剥離シートが接合されている、
請求項１記載の汚損防止シート。
【請求項３】
前記剥離シートには、長手方向の適当間隔置きに、切り取り用スリットが形成されている、
請求項１又は２に記載の汚損防止シート。
【請求項４】
請求項１記載の汚損防止シートを製造する方法であって、
不織布シートと、粘着剤層が接合された支持シートとを、所定の搬送速度で搬送しながら、一対の圧力ロールによって、前記不織布シートの裏面に前記粘着剤層を押し付けるように加圧する、加圧工程と、
加圧後の両シートを乾燥する、乾燥工程と、
を有しており、
前記搬送速度が、８〜１２ｍ／分である、
ことを特徴とする汚損防止シートの製造方法。
【請求項５】
前記支持シートが、剥離シートである、
請求項４記載の汚損防止シートの製造方法。
【請求項６】
前記乾燥工程の後に、前記剥離シートの長手方向の適当間隔置きに、ハーフカットによって、切り取り用スリットを形成する、スリット形成工程を、更に有している、
請求項５記載の汚損防止シートの製造方法。
【発明の詳細な説明】
【技術分野】
【０００１】
本発明は、物品の対象箇所に貼着して用いられ、当該箇所が汚損されるのを防止する、汚損防止シート、及び、その製造方法に、関するものである。
【背景技術】
【０００２】
特許文献１には、例えば、カッターシャツの襟や袖口が汚れたり摩擦によって損傷したりするのを防止するために、襟等に貼着して用いられる、汚れ・損傷防止用フィルムが、開示されている。このフィルムは、ポリウレタンエラストマーフィルムからなり、その裏面に接着剤層を備えている。更に、特許文献２〜５には、同様のフィルム又はシートが開示されている。
【先行技術文献】
【特許文献】
【０００３】
【特許文献１】特開２０１１−６９０３８号公報
【特許文献２】特開２００９−５２１７６号公報
【特許文献３】実用新案登録第３０５６８１８号公報
【特許文献４】特開２００９−９１７１０号公報
【特許文献５】実用新案登録第３１０６３７３号公報
【発明の概要】
【発明が解決しようとする課題】
【０００４】
特許文献のフィルム等によれば、襟等の汚れや損傷を防止するという目的を達成できる。しかしながら、使用者は、フィルムを貼着したシャツを着用した場合の、着心地や見映え等を、気にするようになってきており、そのような使用者の要望を満たすことのできるフィルム等の開発が、望まれている。
【０００５】
一方、不織布シートの裏面に接着剤層を備えたフィルムが、従来から、知られている。しかしながら、そのフィルムでは、５００μｍ以上の比較的厚い不織布シートが使用されているため、下記の（ａ）及び（ｂ）のような不具合があり、また、安価な、レーヨンやポリプロピレンを主原料としているため、下記の（ｃ）のような不具合があった。
（ａ）不織布シートの透明性が低いため、フィルム自体が有色に見える。それ故、フィルムは、襟の外側等の見える部分に使用すると、目立ってしまう。
（ｂ）フィルム自体が厚くなるため、フィルムを使用できる箇所が限られてしまう。例えば、フィルムは、シャツの襟に使用する場合には、襟の折り返し部分に使用することはできず、襟の内面及び／又は外面のみに使用される。
（ｃ）フィルムは、高温・多湿の環境で使用すると、ベタつき等の違和感がある。
【０００６】
本発明は、物品の対象箇所に貼着して用いられ、当該箇所が汚損されるのを防止できるとともに、ベタつき等の違和感を抱くことなく、また、目立つのを気にすることなく、使用できる、汚損防止シートを、提供することを目的とする。なお、「汚損」とは、汚れたり損傷したりすることである。
【課題を解決するための手段】
【０００７】
本発明の一態様は、物品の対象箇所に貼着して用いられ、当該箇所が汚損されるのを防止する、汚損防止シートにおいて、不織布シートと、前記不織布シートの裏面に接合された粘着剤層と、を備えており、前記不織布シートが、セルロース繊維とポリエステル繊維とを主原料として有し、３５〜５５μｍの厚さを有し、１０〜１３ｇ／ｍ２の坪量を有しており、前記粘着剤層が、アクリル系粘着剤からなり、１８〜２２μｍの厚さを有している、ことを特徴としている。
【０００８】
本発明の前記態様は、更に、次の構成（Ａ）、（Ｂ）を採用するのが好ましい。
（Ａ）前記粘着剤層の裏面に剥離シートが接合されている。
（Ｂ）前記（Ａ）において、前記剥離シートには、長手方向の適当間隔置きに、切り取り用スリットが形成されている。
【０００９】
本発明の別の態様は、前記態様の汚損防止シートを製造する方法であって、不織布シートと、粘着剤層が接合された支持シートとを、所定の搬送速度で搬送しながら、一対の圧力ロールによって、前記不織布シートの裏面に前記粘着剤層を押し付けるように加圧する、加圧工程と、加圧後の両シートを乾燥する、乾燥工程と、を有しており、前記搬送速度が、８〜１２ｍ／分である、ことを特徴としている。
【００１０】
本発明の前記別の態様は、更に、次の構成（Ｃ）、（Ｄ）を採用するのが好ましい。
（Ｃ）前記支持シートが、剥離シートである。
（Ｄ）前記（Ｃ）において、前記乾燥工程の後に、前記剥離シートの長手方向の適当間隔置きに、ハーフカットによって、切り取り用スリットを形成する、スリット形成工程を、更に有している。
【００１１】
なお、「シート」とは、テープ状の形態も含む概念である。
【発明の効果】
【００１２】
本発明の前記態様の汚損防止シートによれば、物品の対象箇所が汚損されるのを防止できるとともに、襟の折り返し部分のような箇所でも使用でき、また、目立つのを気にすることなく使用でき、更には、ベタつき等の違和感を抱くことなく使用できる。
【００１３】
本発明の前記別の態様の汚損防止シートの製造方法によれば、前記態様の汚損防止シートを得ることができる。
【図面の簡単な説明】
【００１４】
【図１】本発明の汚損防止シートの斜視部分図である。
【図２】剥離シートを更に備えた汚損防止シート（すなわち汚損防止シート品）の斜視部分図である。
【図３】図２の汚損防止シート品を裏返して示す斜視部分図である。
【図４】図３の汚損防止シート品において剥離シートが剥がされる状態を示す斜視部分図である。
【図５】本発明の汚損防止シートの製造方法を実施する装置を示す断面略図である。
【図６】使用例１におけるカッターシャツの襟を示す正面図である。
【図７】図６のVII−VII断面図である。
【図８】使用例２における袖口を示す斜視図である。
【図９】使用例３におけるコートの襟を示す正面図である。
【図１０】使用例４における女性用ジャケットの襟を示す正面図である。
【図１１】図１０のジャケットの襟を示す背面図である。
【図１２】使用例５における鞄を示す斜視図である。
【図１３】使用例６における電気スイッチを示す斜視図である。
【発明を実施するための形態】
【００１５】
図１は、本発明の汚損防止シートの斜視部分図である。この汚損防止シート１０は、不織布シート１と、不織布シート１の裏面に接合された粘着剤層２と、からなっている。汚損防止シート１０は、粘着剤層２によって物品の対象箇所に貼着して用いられる。
【００１６】
図２は、剥離シート３を更に備えた汚損防止シート１０の斜視部分図である。剥離シート３は、粘着剤層２の裏面に接合されている。図２の状態の汚損防止シート１０は、使用前の状態であり、この状態で折り畳まれたりロールに巻かれたりして保管・運搬される。図２の状態の汚損防止シート１０を「汚損防止シート品１００」と称することとする。図３は、図２の汚損防止シート品１００を裏返して示す斜視部分図である。
【００１７】
不織布シート１は、セルロース繊維とポリエステル繊維とを主原料として有している。また、シート１の厚さは、３５〜５５μｍである。更に、シート１の坪量は、１０〜１３ｇ／ｍ２である。シート１は、主原料８０〜９０重量％と、ウレタン樹脂硬化物１０〜２０重量％と、を含有している。シート１は、セルロース繊維とポリエステル繊維との混抄紙にウレタン樹脂を塗布硬化した成形品である。
【００１８】
粘着剤層２は、アクリル系粘着剤からなり、１８〜２２μｍの厚さを有している。
【００１９】
剥離シート３としては、例えば、ポリシロキサン層とポリエチレン層と上質紙層とからなる三層構造のシートを、使用できる。この三層構造シートは、ポリシロキサン層が粘着剤層２側になるように使用される。この三層構造シートは、例えば、１００μｍの厚さを有している。
【００２０】
剥離シート３には、図３に示されるように、長手方向の適当間隔置きに、裏面３１側からハーフカットによって、切り取り用スリット３２が形成されている。剥離シート３は、図４に示されるように、粘着剤層２の裏面２１から剥がされて、スリット３２にて切り取られるようになっている。
【００２１】
次に、前記構成の汚損防止シート品１００の製造方法を、図５を参照しながら説明する。
【００２２】
まず、第１ロール５及び第２ロール６を用意する。第１ロール５には、前記の不織布シート１が巻かれている。第２ロール６には、前記の粘着剤層２が接合された剥離シート３が、巻かれている。剥離シート３は、粘着剤層２の支持シートとして機能している。第２ロール６では、粘着剤層２が表側となっている。
【００２３】
次に、第１ロール５から不織布シート１を引き出して矢印Ｘ方向に搬送すると共に、第２ロール６から、粘着剤層２が接合された剥離シート３を引き出して矢印Ｘ方向に搬送する。この搬送速度は、具体的には、８〜１２ｍ／分である。なお、不織布シート１と剥離シート３とは、粘着剤層２が不織布シート１側に位置する配置に、設定されている。そして、不織布シート１と、粘着剤層２が接合された剥離シート３とを、搬送しながら、一対の圧力ロール７によって加圧する（加圧工程）。これにより、不織布シート１の裏面１１に、粘着剤層２が押し付けられ、不織布シート１と剥離シート３とが、粘着剤層２を介して接合されて一体となる。
【００２４】
次に、一体となった、不織布シート１と粘着剤層２と剥離シート３とを、搬送しながら、乾燥機８によって所定条件下で乾燥し（乾燥工程）、更に、搬送しながら、ハーフカット装置９によって剥離シート３の裏面３１に切り取り用スリット３２を形成する（スリット形成工程）。乾燥工程により、粘着剤層２が固化し、不織布シート１と剥離シート３とが強固に接合される。
【００２５】
これにより、前記構成の汚損防止シート品１００が得られる。そして、汚損防止シート品１００から剥離シート３を剥ぐことにより、前記構成の汚損防止シート１０が得られる。
【００２６】
前記構成の汚損防止シート品１００は、次のように使用する。すなわち、図４に示されるように、剥離シート３を、粘着剤層２から剥いで、スリット３２にて切り取ることにより、所望の長さの汚損防止シート１０を得る。そして、汚損防止シート１０を、粘着剤層２によって物品の対象箇所に貼着する。これにより、物品の対象箇所は、不織布シート１によって覆われる。
【００２７】
汚損防止シート１０は、物品の対象箇所を不織布シート１によって覆うことにより、物品の対象箇所が汚れたり破損したりするのを防止できる。
【００２８】
更に、汚損防止シート１０は、次のような利点を有している。
【００２９】
（１）不織布シート１の厚さが３５〜５５μｍであるので、汚損防止シート１０は、従来に比して、薄い。したがって、汚損防止シート１０は、次のような利点を有している。
(1-1)衣類の襟の折り返し部分のような、１８０度近く折り返す必要のある部分でも、使用できる。すなわち、使用できる箇所が限定されない。ちなみに、不織布シート１の厚さが前記範囲より大きい場合には、不織布シート１が少し堅くなるので、１８０度近く折り返す必要のある部分での使用は困難である。
(1-2) 不織布シート１が略透明であるので、見える箇所に使用しても、目立ちにくい。ちなみに、不織布シート１の厚さが前記範囲より大きい場合には、透明性が低下するので、目立ってしまう。
(1-3)薄すぎないので、使用後に剥がすのが困難であるということはない。ちなみに、不織布シート１の厚さが前記範囲より小さい場合には、薄すぎるので、使用後に剥がすのが困難である。
【００３０】
（２）不織布シート１がセルロース繊維とポリエステル繊維とを主原料としているので、汚損防止シート１０は、次のような利点を有している。
(2-1)吸湿性及び放湿性が優れており、また、静電気を起こしにくい。したがって、衣類に使用した場合に、使用者は、衣類を違和感なく着用できる。
(2-2)生分解性に優れているので、使用後に廃棄しても、環境を殆ど汚染しない。
【００３１】
（３）粘着剤層２がアクリル系粘着剤からなっているので、粘着剤の色味が問題となることはない。したがって、この点からも、汚損防止シート１０は、目立ちにくい。ちなみに、粘着剤が溶剤系粘着剤である場合には、粘着剤の黄色味が問題となる。
【００３２】
（４）粘着剤層２が１８〜２２μｍの厚さを有しているので、汚損防止シート１０は、十分な貼着強度を得ることができる。ちなみに、粘着剤層２の厚さが前記範囲より小さい場合には、貼着強度が不十分である。
【００３３】
また、前記構成の汚損防止シート品１００は、次のような利点を有している。すなわち、剥離シート３に切り取り用スリット３２が形成されているので、剥離シート３を所定長さずつ汚損防止シート１０から剥ぐことができる。したがって、汚損防止シート１０を安定させた状態で、剥離シート３を汚損防止シート１０から剥ぐことができ、よって、汚損防止シート１０を容易に使用できる。
【００３４】
また、前記の製造方法によれば、次のような効果を発揮できる。すなわち、不織布シート１が、３５〜５５μｍの厚さを有し、１０〜１３ｇ／ｍ２の坪量を有し、セルロース繊維とポリエステル繊維とを主原料として８０〜９０重量％含有しており、粘着剤層２が、アクリル系粘着剤からなり、１８〜２２μｍの厚さを有しており、搬送速度が８〜１２ｍ／分であるので、粘着剤は、不織布シート１に浸透するが、不織布シート１から表出することはない。したがって、汚損防止シート１０は、表面がベタつかない。ちなみに、搬送速度が前記範囲より大きい場合、及び／又は、粘着剤層２の厚さが前記範囲より大きい場合には、粘着剤が不織布シート１から表出してしまう。すなわち、前記製造方法によれば、表面がベタつかない汚損防止シート１０を得ることができる。
【００３５】
前記構成の汚損防止シート１０が使用される、物品やその対象箇所としては、例えば、次のものが挙げられるが、これらに限るものではない。
（１）洋服や着物等の衣類の、特に襟周りや袖口等。
（２）帽子等の服飾品の、特に周縁部等。
（３）衣類の、穴あきや虫食い等の、一時的な修繕箇所。
（４）ズボンの一時的な裾上げ箇所。
（５）枕やシーツ等の寝具類。
（６）電気スイッチのボタン。
（７）電気スイッチやコンセント等の、周辺の壁紙。
（８）種々の電化製品や服飾品の、特に手の触れる箇所。
（９）台所や風呂等の、水周り箇所。
（１０）オフィスの机周りや備品。
【実施例】
【００３６】
汚損防止シート品１００の代表的な実施例は、次の構成を有している。
（Ａ）不織布シート１は、旭化成ケミカルズ株式会社の製品番号「２ＪＪ２００２Ｈ８ＦＡ」の不織布である。この不織布は、セルロース繊維４０重量％と、ポリエステル繊維４０重量％と、ウレタン樹脂硬化物２０重量％と、を含有しており、表１に示される物性を有している。
（Ｂ）粘着剤層２は、２０μｍの厚さを有している。また、粘着剤の粘度は、５．３３パスカル秒である。
（Ｃ）剥離シート３は、ポリシロキサン層とポリエチレン層と上質紙層とからなる三層構造のシートである。この三層構造シートは、ポリシロキサン層が粘着剤層２側になるように使用される。この三層構造シートにおいて、ポリエチレン層は１３μｍの厚さを有しており、上質紙層は７７ｇ／ｍ２の坪量を有している。この三層構造シートは、１００μｍの厚さを有している。この三層構造シートにおけるポリシロキサンとポリエチレンと上質紙との含有量は、０．５重量％と１３．４重量％と８６．１重量％とである。
（Ｄ）幅４０ｍｍ×長さ２００ｍｍの大きさ、又は、幅２０ｍｍ×長さ４５０ｍｍの大きさ、を有している。また、スリット３２は、１５０ｍｍ置きに形成されている。
【００３７】
【表１】
2013044065.tif 000003
【００３８】
なお、前記（Ｄ）に示す値は、それらに限るものではなく、用途に応じて種々の値を採用できる。
【００３９】
［使用例］
以下の使用例は、前記実施例の汚損防止シート品１００を使用した例である。なお、図においては、貼着した汚損防止シート１０に斜線を付している。
【００４０】
（使用例１）
図６は、汚損防止シート１０をカッターシャツ９１の襟９１１の折り返し部分９１２に貼着した例である。汚損防止シート１０は、汚損防止シート品１００から剥離シート３を剥いで、幅２０ｍｍ×長さ４２０ｍｍの大きさに裁断されている。図７は、図６のVII−VII断面図である。汚損防止シート１０は、図７に示されるように、折り返し部分９１２にて折り返されて、襟９１１の内面９１１１と外面９１１２とに貼着されている。
【００４１】
本使用例では、汚損防止シート１０によって、襟９１１の、折り返し部分９１２を含む内面９１１１及び外面９１１２が汚損するのを防止できる。また、汚損防止シート１０は、吸湿性や放湿性が良く、また、表面がベタついていないので、使用者は、違和感を抱くことなく、カッターシャツ９１を着用できる。更に、汚損防止シート１０は、目立たないので、使用者は、気持ち良く、カッターシャツ９１を着用できる。
【００４２】
（使用例２）
図８は、汚損防止シート１０を衣類の袖口９２の縁部分９２１に貼着した例である。汚損防止シート１０は、汚損防止シート品１００から剥離シート３を剥いで、幅２０ｍｍ×長さ２００ｍｍの大きさに裁断されている。汚損防止シート１０は、縁部分９２１にて折り返されて、袖口９２の内面９２２と外面９２３とに貼着されている。
【００４３】
本使用例では、汚損防止シート１０によって、袖口９２の、縁部分９２１を含む内面９２２及び外面９２３が汚損するのを防止できる。また、汚損防止シート１０は、吸湿性や放湿性が良く、また、表面がベタついていないので、使用者は、違和感を抱くことなく、衣類を着用できる。更に、汚損防止シート１０は、目立たないので、使用者は、気持ち良く、衣類を着用できる。
【００４４】
（使用例３）
図９は、汚損防止シート１０をコート９３の全襟９３１の折り返し部分９３２に貼着した例である。汚損防止シート１０は、汚損防止シート品１００から剥離シート３を剥いで、幅４０ｍｍ×長さ４５０ｍｍの大きさに裁断されている。汚損防止シート１０は、折り返し部分９３２にて折り返されて、襟９３１の内面９３１１と外面９３１２とに貼着されている。
【００４５】
本使用例では、汚損防止シート１０によって、全襟９３１の、折り返し部分９３２を含む内面９３１１及び外面９３１２が汚損するのを防止できる。また、汚損防止シート１０は、吸湿性や放湿性が良く、また、表面がベタついていないので、使用者は、違和感を抱くことなく、コート９３を着用できる。更に、汚損防止シート１０は、目立たないので、使用者は、気持ち良く、コート９３を着用できる。
【００４６】
なお、汚損防止シート１０は、ダウンジャケットに対しても、コート９３の場合と同様に、使用できる。
【００４７】
（使用例４）
図１０は、汚損防止シート１０を女性用ジャケット９４の後襟９４１の折り返し部分９４２に貼着した例である。図１１は、後襟９４１を背面側から示している。汚損防止シート１０は、汚損防止シート品１００から剥離シート３を剥いで、幅４０ｍｍ×長さ２００ｍｍの大きさに裁断されている。汚損防止シート１０は、折り返し部分９４２にて折り返されて、襟９４１の内面９４１１と外面９４１２とに貼着されている。
【００４８】
本使用例では、汚損防止シート１０によって、後襟９４１の、折り返し部分９４２を含む内面９４１１及び外面９４１２が汚損するのを防止できる。また、汚損防止シート１０は、吸湿性や放湿性が良く、また、表面がベタついていないので、使用者は、違和感を抱くことなく、ジャケット９４を着用できる。更に、汚損防止シート１０は、目立たないので、使用者は、気持ち良く、ジャケット９４を着用できる。
【００４９】
（使用例５）
図１２は、汚損防止シート１０を鞄９５の取っ手９５１に貼着した例である。汚損防止シート１０は、汚損防止シート品１００から剥離シート３を剥いで、幅２０ｍｍ×長さ１００ｍｍの大きさに裁断されている。汚損防止シート１０は、取っ手９５１の下面部分を覆うように貼着されている。
【００５０】
本使用例では、汚損防止シート１０によって、取っ手９５１の特に下面部分が汚損するのを防止できる。また、汚損防止シート１０は、吸湿性や放湿性が良く、また、表面がベタついていないので、使用者は、違和感を抱くことなく、取っ手９５１を把持できる。更に、汚損防止シート１０は、目立たないので、使用者は、気持ち良く、鞄９５を使用できる。
【００５１】
（使用例６）
図１３は、汚損防止シート１０を電気スイッチ９６のボタン９６１に貼着した例である。汚損防止シート１０は、汚損防止シート品１００から剥離シート３を剥いで、幅２０ｍｍ×長さ２０ｍｍの大きさに裁断されている。汚損防止シート１０は、ボタン９６１の表面に貼着されている。
【００５２】
本使用例では、汚損防止シート１０によって、ボタン９６１の表面が汚損するのを防止できる。また、汚損防止シート１０は、吸湿性や放湿性が良く、また、表面がベタついていないので、使用者は、違和感を抱くことなく、ボタン９６１を押すことができる。
【産業上の利用可能性】
【００５３】
本発明の汚損防止シートは、特にベタつき等の違和感を抱くことなく使用できるので、産業上の利用価値が大である。
【符号の説明】
【００５４】
１  不織布シート  １０  汚損防止シート  ２  粘着剤層  ３  剥離シート  ３２  スリット
【図１】
2013044065.tif 000004
【図２】
2013044065.tif 000005
【図３】
2013044065.tif 000006
【図４】
2013044065.tif 000007
【図５】
2013044065.tif 000008
【図６】
2013044065.tif 000009
【図７】
2013044065.tif 000010
【図８】
2013044065.tif 000011
【図９】
2013044065.tif 000012
【図１０】
2013044065.tif 000013
【図１１】
2013044065.tif 000014
【図１２】
2013044065.tif 000015
【図１３】
2013044065.tif 000016